(57)【要約】【課題】   多数の折曲部があっても誤放水を防止ししかも火災時には遅延なく放水できる負圧湿式スプリンクラーシステムを提供する。【解決手段】  スプリンクラーヘッド２と、一次配管３及び二次配管４からなる給水配管５と、弁部６と、加圧送水装置８と、火災感知器９と、制御部１０と、負圧状態確保手段１１とを備え、吸引配管２５の一端を立ち上げ分岐管４ａ付近の吸引分岐配管１２ａに連通し、吸引配管２５の他端を塞いで二次配管末端側まで延設し、高設置位置Ｓ面における二次配管４と吸引配管２５とを、一定差圧未満で開放され、一定以上の差圧で閉鎖される開閉手段２６でもって接続し、吸引配管２５に立ち上げ分岐管４ａ近くに吸引分岐配管１２ａ方向に開放する逆止弁２７を設けてなることを特徴とする。【選択図】   図１
2011045557.tif 000002
【特許請求の範囲】
【請求項１】
スプリンクラーヘッドと、消火水主管である一次配管及びスプリンクラーヘッドに消火用の水を導く二次配管からなる給水配管と、一次配管と二次配管の間に設けられた弁部と、貯水槽内の水を吸い込み加圧して前記給水配管の一次配管に送り込む加圧送水装置と、スプリンクラーヘッドよりも早く火災を検知して火災信号を出力する火災感知器と、火災感知器からの火災信号を基に加圧送水装置及び弁部の開閉を制御する制御部と、前記二次配管の立ち上げ分岐管に吸引分岐配管の一端側を接続するとともに、当該吸引分岐配管の他端側を吸引手段に連通し、かつ前記吸引分岐配管に立ち上げ分岐管の側から真空スイッチ、電磁弁の順で配置してなり、前記二次配管内を負圧状態に維持する負圧状態確保手段とから構成されている負圧湿式スプリンクラーシステムにおいて、
吸引配管の一端を立ち上げ分岐管付近の吸引分岐配管に連通し、吸引分岐配管の他端を塞ぎ、かつ、その他端を二次配管末端側まで延設し、
高設置位置における二次配管と前記吸引配管とを、一定差圧未満で開放され、一定以上の差圧で閉鎖される開閉手段をもって接続し、
前記吸引配管に立ち上げ分岐管近くに吸引分岐配管方向に開放する逆止弁を設けてなることを特徴とする負圧湿式スプリンクラーシステム。
【請求項２】
前記開閉手段は、圧力差が一定圧より小さいときに、バネによってピストンが戻され開口部を開放し、圧力差が一定圧より大きいときに、ピストンが流体に押されて開口部を閉止する差圧開閉器であって、この差圧開閉器はピストン側が二次配管に接続されるように配置したものであることを特徴とする請求項１記載の負圧湿式スプリンクラーシステム。
【請求項３】
前記開閉手段は、圧力が一定圧未満のときに第１状態信号を出力し、圧力が一定圧より大きいときに第二状態信号を出力する圧力スイッチと、前記圧力スイッチからの信号を取り込み、その信号を基に開閉駆動信号を出力する制御装置と、前記制御装置からの開閉駆動信号に応じて開放または閉止する自動弁とを備えたことを特徴とする請求項１記載の負圧湿式スプリンクラーシステム。
【発明の詳細な説明】
【技術分野】
【０００１】
本発明は、建築物に設置され、建築物内の火災を自動消火するとともに、スプリンクラーヘッドの事故時に放水を防止できる負圧湿式スプリンクラーシステムに関するものである。
【背景技術】
【０００２】
負圧湿式スプリンクラーシステムは、自動消火用スプリンクラーシステムの一種で、火災が発生すると火災発生を検知したスプリンクラーヘッドから放水をして消火するとともに、スプリンクラーヘッドの事故時に放水を防止できるようにした設備として知られている（特許文献１）。
【０００３】
図６は、従来の負圧湿式スプリンクラーシステムの一例を示す概略説明図である。
この図６において、負圧湿式スプリンクラーシステム１０１は、スプリンクラーヘッド１０２と、消火水主管である一次配管１０３及びスプリンクラーヘッド１０２に消火用の水を導く二次配管１０４からなる給水配管１０５と、一次配管１０３と二次配管１０４の間に設けられた弁部１０６と、貯水槽１０７内の水を吸い込み加圧して前記給水配管１０５の一次配管１０３に送り込む加圧送水装置１０８と、スプリンクラーヘッド１０２よりも早く火災を検知して火災信号を出力する火災感知器１０９と、火災感知器１０９からの火災信号を基に加圧送水装置１０８の起動及び弁部１０６の開閉を制御する制御部１１０と、前記二次配管１０４内を負圧状態に維持する負圧状態確保手段１１１とから構成されている。
【０００４】
さらに詳説すると、スプリンクラーヘッド１０２は、個々に独立して作動するものである。
給水配管１０５は、前記加圧送水装置１０８に接続された一次配管１０３、各スプリンクラーヘッド１０２に接続され二次配管１０４、及び一次配管１０３と二次配管１０４との間を弁部１０６で連通し、前記加圧送水装置１０８からの消火用の水を導く配管系統である。
【０００５】
火災感知器１０９は、スプリンクラーヘッド１０２の近辺に設置され、スプリンクラーヘッド１０２よりも早く火災を検知して火災信号を出力するセンサーである。
【０００６】
負圧状態確保手段１１１は、前記二次配管１０４の立ち上げ分岐管１０４ａに吸引分岐配管１１２ａの一端側を接続し、当該吸引分岐配管１１２ａの他端側を吸引手段に連通し、かつ前記吸引分岐配管１１２ａに、立ち上げ分岐管１０４ａの側から真空スイッチ１１６、電磁弁１１７の順で配置してなり、前記二次配管１０４の内部を負圧状態に維持することができる。
【０００７】
ここで、吸引手段は、当該吸引分岐配管１１２ａの他端側を排水配管１１３に連通し、排水配管１１３の一端を気水分離装置１１４、吸引主管１１２の順で経由して吸引装置１１５に連通し、排水配管１１３の他端を貯水槽１０７の水内に開放し、かつ、気水分離装置１１４を排水配管１１３の最上部に設けた構造となっている。この負圧状態確保手段１１１により、二次配管１０４内の水を負圧状態とし、その負圧状態を維持することができる。
【０００８】
また、二次配管１０４の末端には、末端試験装置１１８が設けられている。
なお、火災感知器１０９は図示しない信号線によって防災受信盤１２０に接続されている。また、前記防災受信盤１２０は、図示しない信号線によって制御部１１０に接続されている。火災感知器１０９で検出した火災信号は図示しない信号線を介して防災受信盤１２０で受信されると、防災受信盤１２０において所定の受信処理を行うほか、その信号を図示しない信号線を介して制御部１１０に送出する。制御部１１０は、図示しない信号線で弁部１０６に接続されている。
なお、図面中の各図において表示される弁のシンボルが、黒く塗りつぶされている場合は弁が閉止状態であることを示し、塗りつぶされていない場合は弁が開放状態であることを示している。
【０００９】
負圧湿式スプリンクラーシステム１０１において、通常時、一次配管１０３には加圧状態の水が充填されており、また、二次配管１０４には負圧状態の水が充填されている。
真空スイッチ１１６は、図示しない信号線を介して制御部１１０に接続されており、制御部１１０は図示しない信号線で電磁弁１１７に接続されている。真空スイッチ１１６が圧力上昇を検出すると、その検出信号が制御部１１０に与えられる。制御部１１０は、その信号を基に電磁弁１１７を開放するようになっている。
【００１０】
［火災発生時の動作］
火災が発生すると、火災発生部直上かその付近の火災感知器１０９が火災を検出して火災信号を発生する。この火災信号は、防災受信盤１２０を経由して制御部１１０に送出される。制御部１１０は、弁部１０６を開放状態にするとともに、加圧送水装置１０８を作動させる。これにより、一次配管１０３、弁部１０６、二次配管１０４を介してスプリンクラーヘッド１０２に消火用の水が圧送されて、二次配管１０４内が負圧状態から加圧状態と変化し、スプリンクラーヘッド１０２から消火用の水が散布される。これにより、火災を最小限に防止することができる。
【００１１】
［誤放水時の動作］
スプリンクラーヘッド１０２が破損すると、スプリンクラーヘッド１０２の開口部より空気が流入し、二次配管１０４内の圧力が上昇する。すると、真空スイッチ１１６は、これを検出すると検出信号を制御部１１０に送出する。制御部１１０は、その検出信号を基に電磁弁１１７を開放させる。そして、吸引装置１１５の運転により当該故障スプリンクラーヘッド１０２の接続されている二次配管１０４の内部を連続して吸引する。これにより、スプリンクラーヘッド１０２からの放水が防止できる。
【００１２】
［火災感知器誤動作時の動作］
火災感知器１０９が誤動作をすると、火災発生時と同様に弁部１０６が開放されるとともに、加圧送水装置１０８が運転される。すると、弁部１０６、二次配管１０４に消火用の水が流入して、二次配管１０４内が負圧から正圧加圧されて、スプリンクラーヘッド１０２より放水準備完了となる。
【００１３】
誤動作が確認されて、誤作動原因を排除する。この誤作動原因を排除の後に、防災受信盤１２０、弁部１０６の復旧操作をする。復旧が終了すると、真空スイッチ１１６は高い圧力を検出しているので、電磁弁１１７を開放するとともに、吸引装置１１５を運転することにより、二次配管１０４内を圧力が低下して負圧になる。通常監視圧力にまで低下すると、真空スイッチ１１６がこれを検出して復旧完了となる。電磁弁１１７を閉止し、かつ、吸引装置１１５を停止させる。
【００１４】
図７は、負圧湿式スプリンクラーシステムにおける二次配管の配管例を示す図である。
【００１５】
ところで、二次配管１０４を配管する際に、建築物の梁１２１や、空調等のダクト１２２や、他の配管１２３，１２３があった場合、これらを迂回させるために、二次配管１０４は、図７に示すように、前記二次配管が高設置位置Ｓより下側に所定距離配管された後、水平方向に配管され、再び設置位置まで配管を戻すような略Ｕ字形状に折り曲げた折曲部１０４’としなければならなかった。
【００１６】
折曲部１０４’と折曲部１０４’の間の高設置位置Ｓの面の二次配管１０４では通水はしても、十分に空気が抜けず、空気溜まりが生じる場合がある。一つの系統に折曲部１０４’，…を多数構成し、空気溜まりが多数存在する場合、吸引装置１１５で吸引を行っても、末端部に至るほど十分に負圧化できず、スプリンクラーヘッド１０２が故障して開口部が発生した際に、その開口部の位置や大きさによっては誤放水を防止できないという虞れがあった。
そこで、本件出願人は先に出願した特願２００９−９８５８８において、多数の折曲部があっても誤放水を防止できる負圧湿式スプリンクラーシステムを提案した。すなわち、二次配管１０４の末端位置、さらにはそこまでの中間位置にも立ち上げ分岐管を設けて、負圧状態確保手段に接続したものである。
【先行技術文献】
【特許文献】
【００１７】
【特許文献１】特許第３２６４９３９号公報
【発明の概要】
【発明が解決しようとする課題】
【００１８】
しかし、先の出願のように吸引配管を二次配管の末端位置まで延長すると、それに伴って吸引配管の容積も大きなものとなり、加圧送水装置が作動して二次配管内を加圧状態とするのに、この延長された吸引配管内に消火用の水が流れ込むため、加圧が遅れてしまい、スプリンクラーヘッドからの放水が遅れてしまう虞れがあった。
【課題を解決するための手段】
【００１９】
本発明の要旨とするところは、スプリンクラーヘッドと、消火水主管である一次配管及びスプリンクラーヘッドに消火用の水を導く二次配管からなる給水配管と、一次配管と二次配管の間に設けられた弁部と、貯水槽内の水を吸い込み加圧して前記給水配管の一次配管に送り込む加圧送水装置と、スプリンクラーヘッドよりも早く火災を検知して火災信号を出力する火災感知器と、火災感知器からの火災信号を基に加圧送水装置及び弁部の開閉を制御する制御部と、前記二次配管の立ち上げ分岐管に吸引分岐配管の一端側を接続するとともに、当該吸引分岐配管の他端側を吸引手段に連通し、かつ前記吸引分岐配管に立ち上げ分岐管の側から真空スイッチ、電磁弁の順で配置してなり、前記二次配管内を負圧状態に維持する負圧状態確保手段とから構成されている負圧湿式スプリンクラーシステムにおいて、
吸引配管の一端を立ち上げ分岐管付近の吸引分岐配管に連通し、吸引分岐配管の他端を塞ぎ、かつ、その他端を二次配管の末端側まで延長し、
高設置位置における二次配管と前記吸引配管とを、一定差圧未満で開放され、一定以上の差圧で閉鎖される開閉手段をもって接続し、
前記吸引配管に立ち上げ分岐管近くに吸引分岐配管方向に開放する逆止弁を設けてなることを特徴とする負圧湿式スプリンクラーシステムにある。
【００２０】
また、上記構成において、前記開閉手段は、圧力差が一定圧より小さいときに、バネによってピストンが戻され開口部を開放し、圧力差が一定圧より大きいときに、ピストンが流体に押されて開口部を閉止する差圧開閉器であって、この差圧開閉器はピストン側が二次配管に接続されるように配置してもよい。
【００２１】
また、上記構成において、前記開閉手段は、圧力が一定圧未満のときに第一状態信号を出力し、圧力が一定圧より大きいときに第二状態信号を出力する圧力スイッチと、前記圧力スイッチからの信号を取り込み、その信号を基に開閉駆動信号を出力する制御装置と、前記制御装置からの開閉駆動信号に応じて開放または閉止する電磁弁とを備えてもよい。
【発明の効果】
【００２２】
本発明は上記の如き構成であるから、通常は、二次配管と吸引配管との間には圧力差がなく、折曲部が多数あっても二次配管の末端まで適正な負圧に保つことができる。
また、スプリンクラーヘッド誤作動時には、負圧状態確保手段が動作するが、所定値の負圧に保たれているため、誤放出されることがない。
さらに、火災のときには、弁部より二次配管に加圧水が流入し、二次配管内が開閉手段の一定差圧以上になるため、開閉手段が閉止し、加圧水が吸引配管に流入することなく、スプリンクラーヘッドに速やかに供給されることになる。
【図面の簡単な説明】
【００２３】
【図１】本発明に係る負圧湿式スプリンクラーシステムの実施形態における概略的説明図である。
【図２】本発明に係る負圧湿式スプリンクラーシステムの実施形態において使用する開閉手段（差圧開閉器）を示す断面図である。
【図３】本発明に係る負圧湿式スプリンクラーシステムの実施形態において使用する開閉手段（差圧開閉器）の動作を説明するために示す図であって、図３（ａ）が差圧が一定圧未満の場合の動作状態を、図３（ｂ）が差圧が一定圧以上の場合の動作状態を、それぞれ示す図である。
【図４】本発明に係る負圧湿式スプリンクラーシステムの他の実施形態における概略的説明図である。
【図５】本発明に係る負圧湿式スプリンクラーシステムの実施形態において使用する開閉手段（電磁弁、圧力スイッチ、制御装置）の動作を説明するために示す図であって、図５（ａ）が差圧が一定値未満の場合の動作状態を、図５（ｂ）が差圧が一定値以上の場合の動作状態を、それぞれ示す図である。
【図６】従来の負圧湿式スプリンクラーシステムの概略的説明図である。
【図７】二次配管の配管状態を説明するための図である。
【発明を実施するための形態】
【００２４】
以下、本発明を実施するための形態について、図面を参照して説明する。
図１は、本発明に係る負圧湿式スプリンクラーシステムの実施形態における概略的説明図である。
【００２５】
図中符号１は負圧湿式スプリンクラーシステムであって、この負圧湿式スプリンクラーシステム１は、スプリンクラーヘッド２と、消火水主管である一次配管３及びスプリンクラーヘッド２に消火用の水を導く二次配管４からなる給水配管５と、一次配管３と二次配管４の間に設けられた弁部６と、貯水槽７内の水を吸い込み加圧して前記給水配管５の一次配管３に送り込む加圧送水装置８と、スプリンクラーヘッド２よりも早く火災を検知して火災信号を出力する火災感知器９と、火災感知器９からの火災信号を基に加圧送水装置８及び弁部６の開閉を制御する制御部１０と、前記二次配管４内を負圧状態に維持する負圧状態確保手段１１とから構成されている。
【００２６】
さらに詳説すると、スプリンクラーヘッド２は、個々に独立して作動するものである。
給水配管５は、前記加圧送水装置８に接続された一次配管３、各スプリンクラーヘッド２に接続された二次配管４、及び、一次配管３と二次配管４との間を弁部６で連通し、前記加圧送水装置８からの消火用の水を導く配管系統である。
【００２７】
火災感知器９は、スプリンクラーヘッド２の近辺に設置され、スプリンクラーヘッド２よりも早く火災を検知して火災信号を出力するセンサーである。
負圧状態確保手段１１は、前記二次配管４の立ち上げ分岐管４ａに吸引分岐配管１２ａの一端側を接続し、当該吸引分岐配管１２ａの他端側を吸引手段に連通し、かつ前記吸引分岐配管１２ａに、立ち上げ分岐管４ａの側から真空スイッチ１６、電磁弁１７の順で配置してなり、前記二次配管４の内部を負圧状態に維持することができる。
【００２８】
ここで、吸引手段は、当該吸引分岐配管１２ａの他端側を排水配管１３に連通し、排水配管１３の一端を気水分離装置１４、吸引主管１２の順で経由して吸引装置１５に連通し、排水配管１３の他端を貯水槽７の水内に開放し、かつ、気水分離装置１４を排水配管１３の最上部に設けた構造となっている。この負圧状態確保手段１１により、二次配管４内の水を負圧状態とし、その負圧状態を維持することができる。
【００２９】
また、二次配管４の末端には、末端試験装置１８が設けられている。
なお、火災感知器９は図示しない信号線によって防災受信盤２０に接続されている。また、前記防災受信盤２０は、図示しない信号線によって制御部１０に接続されている。火災感知器９で検出した火災信号は図示しない信号線を介して防災受信盤２０で受信されると、防災受信盤２０において所定の受信処理を行うほか、その信号を図示しない信号線を介して制御部１０に送出する。制御部１０は、図示しない信号線を介して弁部６に接続されている。
【００３０】
なお、図面中の各図において表示される弁のシンボルが、黒く塗りつぶされている場合は弁が閉止状態であることを示し、塗りつぶされていない場合は弁が開放状態であることを示している。以下、同じとする。
【００３１】
この負圧湿式スプリンクラーシステム１において、通常時、一次配管３には加圧状態の水が充填されており、また、二次配管４には負圧状態の水が充填されている。
【００３２】
真空スイッチ１６は、図示しない信号線を介して制御部１０に接続されており、制御部１０は図示しない信号線で電磁弁１７に接続されている。真空スイッチ１６が圧力上昇を検出すると、その検出信号が制御部１０に与えられる。制御部１０は、その信号を基に電磁弁１７を開放するようになっている。
【００３３】
また、本発明では、立ち上げ分岐管４ａ付近の吸引分岐配管１２ａに吸引配管２５の一端を連通し、吸引配管２５の他端を塞いでいる。さらに、吸引配管２５は、二次配管４より上側に配置し、かつ末端試験装置１８側の末端まで延設することが望ましい。
【００３４】
また、折曲部４’と折曲部４’との間の前記高設置位置Ｓ面における二次配管４と前記吸引配管２５とは、一定圧未満で開放され、一定圧以上で閉鎖される開閉手段２６をもって連通させている。さらに、前記吸引配管２５の立ち上げ分岐管４ａ近くには、図に示すように吸引分岐配管１２ａ側の方向に開放し、その逆方向では閉じる逆止弁２７を設けている。
【００３５】
開閉手段２６及び逆止弁２７を設けるため、吸引配管２５が長く容積が大きくなっても、吸引配管２５への充水が阻止され、加圧が遅れて、スプリンクラーヘッド２の放水が遅れることが防止される。
【００３６】
図２は、本発明に係る負圧湿式スプリンクラーシステムの実施形態において使用する開閉手段（差圧開閉器）の具体的構成を示した断面図である。
この図２において、負圧湿式スプリンクラーシステムにおいて使用する開閉手段２６の具体例の一つとしては、差圧開閉器３０をあげることができる。
この差圧開閉弁３０は、図２に示すように、第１のボディー３１と、ばね３２と、止めビス３３と、Ｏリング３４と、ピストン３５と、第２のボディー３６とから構成されている。
【００３７】
図３は、本発明に係る負圧湿式スプリンクラーシステムの実施形態において使用する開閉手段（差圧開閉器）の動作を説明するために示す図であって、図３（ａ）が差圧が一定圧未満の場合の動作状態を、図３（ｂ）が差圧が一定圧以上の場合の動作状態を、それぞれ示す図である
【００３８】
この差圧開閉器３０は、この差圧が一定圧（０．１［ＭＰａ］）未満の場合には、図３（ａ）に示すように、ばね３２によってピストン３４が戻され、開口部３７を開放する。また、この差圧開閉弁３０は、圧力差が一定圧（０．１［ＭＰａ］）以上の場合には、図３（ｂ）に示すように、圧力差によってピストン３４が押され、開口部３７を閉止する。
【００３９】
［火災発生時の動作］
火災が発生すると、火災発生部直上かその付近の火災感知器１０９が火災を検出して火災信号を発生する。この火災信号は、防災受信盤２０を経由して制御部１０に送出される。制御部１０は、弁部６を開放状態にするとともに、加圧送水装置８を作動させる。
【００４０】
また、制御部１０は電磁弁１７を閉鎖する。また、二次配管４と吸引配管２５との圧力差が一定圧（０．１［ＭＰａ］）以上になるので、差圧開閉器３０が閉鎖される。また、逆止弁２７は消火用の水を通さない。これにより、一次配管３、弁部６、二次配管４を介してスプリンクラーヘッド２に消火用の水が圧送されて、二次配管４内が負圧状態から加圧状態へと速やかに変化し、スプリンクラーヘッド２から消火用の水が散布される。これにより、火災を最小限に防止することができる。
【００４１】
［誤放水時の動作］
スプリンクラーヘッド２が破損すると、スプリンクラーヘッド２の開口部より空気が流入し、二次配管１０４内の圧力が上昇する。すると、真空スイッチ１６は、これを検出すると検出信号を制御部１０に送出する。制御部１０は、その検出信号を基に電磁弁１７を開放させる。そして、吸引装置１５の運転により当該故障スプリンクラーヘッド２の接続されている二次配管４の内部を連続して吸引する。これにより、スプリンクラーヘッド２からの放水が防止できる。このとき、開閉手段２６（差圧開閉器３０）は、二次配管４と吸引配管２５との圧力差が一定圧（０．１［ＭＰａ］）未満なので、開閉手段２６（差圧開閉器３０）の開放状態が続き、二次配管４の末端側であっても、負圧を保った状態となり、二次配管４の末端側のスプリンクラーヘッド２であっても、確実に、スプリンクラーヘッド２からの放水を防止できる。
【００４２】
［火災感知器誤動作時の動作］
火災感知器９が誤動作をすると、火災発生時と同様に弁部６が開放されるとともに、加圧送水装置８が運転される。すると、弁部６、二次配管４に消火用の水が流入して、二次配管４内が負圧から正圧加圧されて、スプリンクラーヘッド２より放水準備完了となる。
【００４３】
このとき、二次配管４と吸引配管２５との圧力差が一定圧（０．１［ＭＰａ］）以上になるので、差圧開閉器３０が閉鎖される。また、逆止弁２７は消火用の水を通さない。
【００４４】
誤動作が確認されて、誤作動原因を排除する。この誤作動原因を排除の後に、防災受信盤２０、弁部６を復旧操作をする。復旧が終了すると、真空スイッチ１６は高い圧力を検出しているので、電磁弁１７を開放するとともに、吸引装置１５を運転することにより、二次配管４内を圧力が低下して負圧になる。
通常監視圧力にまで低下すると、真空スイッチ１６がこれを検出して復旧完了となる。電磁弁１７を閉止し、かつ、吸引装置１５を停止させる。このときに、二次配管４と吸引配管２５との圧力差が一定圧（０．１［ＭＰａ］）未満になると、差圧開閉器３０が開放し、末端側も確実に負圧を維持することになる。
【００４５】
図４は、本発明に係る負圧湿式スプリンクラーシステムの他の実施形態における概略的説明図である。
他の実施形態における負圧湿式スプリンクラーシステム１ａが、図１に示す負圧湿式スプリンクラーシステム１と異なるところは、開閉手段２６を、圧力スイッチ４１、自動弁４２及び制御装置４３で構成した点にあり、他の構成は図１に示す負圧湿式スプリンクラーシステム１と同じであるので、図１に示す負圧湿式スプリンクラーシステム１と同一の符号を付し、説明を省略する。
【００４６】
また、圧力スイッチ４１は、圧力が一定圧（０．１［ＭＰａ］）以上のときにＯＮ信号を出力し、圧力が一定圧（０．１［ＭＰａ］）未満のときにＯＦＦ信号を出力する装置である。この圧力スイッチ４１は、高設置位置Ｓ面に配置された二次配管４の上側に、図５に示すように配置する。また、この圧力スイッチ４１は、図示しない信号線を介して制御装置４３に接続されており、検出信号（開閉信号）を制御装置４３に供給できるようになっている。
【００４７】
制御装置４３は、前記圧力スイッチ４１からの信号を取り込み、その信号を基に開閉駆動信号を出力することができるようになっている。この制御装置４３の出力信号は、図示しない信号線を介して自動弁４２に接続されている。
【００４８】
自動弁４２は、前記制御装置４３からの開閉駆動信号に応じて開放または閉止される弁であり、図５に示すように、高設置位置Ｓ面に配置された二次配管４の上側と吸引配管２５との間に配置されて二次配管４と吸引配管２５とを連通できるようになっている。
【００４９】
図５は、本発明に係る負圧湿式スプリンクラーシステムの実施形態において使用する開閉手段（自動弁、圧力スイッチ、制御装置）の動作を説明するために示す図であって、図５（ａ）が差圧が一定値未満の場合の動作状態を、図５（ｂ）が差圧が一定値以上の場合の動作状態を、それぞれ示す図である。
通常時は、圧力スイッチ４１は、一定圧（０．１［ＭＰａ］）未満であってＯＦＦ信号が出力されるので、図５（ａ）に示すように自動弁４２は開放し、二次配管４と吸引配管２５とが連通状態にある。
【００５０】
また、一次配管３及び弁部６を介して二次配管４に加圧水が流入して圧力が正圧力になると、圧力スイッチ４１がＯＮとなり、ＯＮ信号が制御装置４３に入力されて、図５（ｂ）に示すように自動弁４２が閉止する。これにより、二次配管４内に流入した消火用の水は、吸引配管２５に流れ込むのを防止することができる。
【符号の説明】
【００５１】
１  負圧湿式スプリンクラーシステム
２  スプリンクラーヘッド
３  一次配管
４  二次配管
５  給水配管
６  弁部
８  加圧送水装置
９  火災感知器
１０  制御部
１１  負圧状態確保手段
１２ａ  吸引分岐配管
１６  真空スイッチ
１７  電磁弁
２５  吸引配管
２６  開閉手段
２７  逆止弁
３０  差圧開閉弁
４１  圧力スイッチ
４２  自動弁
４３  制御装置
【図１】
2011045557.tif 000003
【図２】
2011045557.tif 000004
【図３】
2011045557.tif 000005
【図４】
2011045557.tif 000006
【図５】
2011045557.tif 000007
【図６】
2011045557.tif 000008
【図７】
2011045557.tif 000009